(57)【特許請求の範囲】
【請求項１】
規定振幅のパルス信号を伝送線路へ送出すると共に、この伝送線路に対する上記パルス信号の送出状態を監視する機能を備えた伝送線路駆動回路において、
送出対象のパルス信号を所定の振幅に増幅して出力する増幅部と、
この増幅部から出力されたパルス信号が入力される入力端子と、相互間にアイソレーション特性を有する第１及び第２の出力端子とを備え、上記入力端子に入力されたパルス信号を二分岐して前記第１及び第２の出力端子からそれぞれ出力するハイブリッド回路と、
前記ハイブリッド回路の入力インピーダンスを調整する第１のインピーダンス整合回路と、
前記第１の出力端子の出力インピーダンスを調整する第２のインピーダンス整合回路と、
前記第１及び第２の出力端子間のインピーダンスを調整する第３のインピーダンス整合回路と、
前記第２の出力端子から出力されたパルス信号の振幅をもとに、前記伝送線路へのパルス信号の送出状態を監視する監視回路とを具備したことを特徴とする伝送線路駆動回路。
【請求項２】
前記伝送線路の特性インピーダンスがＺoであるとき、
前記第１のインピーダンス整合回路は、前記増幅部の出力端子と前記ハイブリッド回路の入力端子との間をＺo／２なるインピーダンスで接続し、
前記第２のインピーダンス整合回路は、前記ハイブリッド回路の第１の出力端子と前記伝送線路との間をＺoなるインピーダンスで接続し、
かつ前記第３のインピーダンス整合回路は、前記ハイブリッド回路の第１の出力端子と第２の出力端子との間を２Ｚoなるインピーダンスで接続してなることを特徴とする請求項１記載の伝送線路駆動回路。
【請求項３】
前記ハイブリッド回路は前記第１及び第２の出力端子を出力とするトランスを備え、前記伝送線路の特性インピーダンスがＺoであるとき、
前記第１のインピーダンス整合回路は、前記増幅部の出力端子と前記ハイブリッド回路の入力端子との間をＺo／２なるインピーダンスで接続し、
かつ前記ハイブリッド回路が前記第１の出力端子と前記第２の出力端子との中点にタップされる共通出力端子を有する場合に、前記第３のインピーダンス整合回路は、前記ハイブリッド回路の共通出力端子と接地端子との間をＺo／２なるインピーダンスで接続してなることを特徴とする請求項１記載の伝送線路駆動回路。
【請求項４】
前記伝送線路の特性インピーダンスがＺoであり、
かつ前記増幅部が差動増幅回路により構成され、
前記ハイブリッド回路は、前記第１及び第２の出力端子とを出力とし、さらに第１及び第２の入力端子を有するトランスを備え、
このトランスは、前記第１の入力端子と前記第２の入力端子との中点にタップされる共通入力端子と、前記第１の出力端子と前記第２の出力端子との中点にタップされる共通出力端子を有する場合に、
前記第１のインピーダンス整合回路は、前記増幅部の差動出力端子と前記ハイブリッド回路の共通入力端子との間を各々Ｚoなるインピーダンスで接続し、
前記第３のインピーダンス整合回路は、前記ハイブリッド回路の共通出力端子と接地端子との間をＺo／２なるインピーダンスで接続してなることを特徴とする請求項１記載の伝送線路駆動回路。
【請求項５】
前記第１及び第２のインピーダンス整合回路は、前記伝送線路からのリターン特性を調整するためのリアクタンス素子を含むマッチングネットワーク回路をさらに備えることを特徴とする請求項２乃至４の何れかに記載の伝送線路駆動回路。
【請求項６】
自身で生成したパルス信号からなる通信信号又は他の装置から入力された通信信号を伝送線路へ送出する通信装置において、
規定振幅値を有する送信対象の通信信号を所定の振幅に増幅して出力する増幅部と、
この増幅部から出力された通信信号が入力される入力端子と、相互間にアイソレーション特性を有する第１及び第２の出力端子とを備え、上記入力端子に入力された通信信号を二分岐して前記第１及び第２の出力端子からそれぞれ出力するハイブリッド回路と、
前記ハイブリッド回路の入力インピーダンスを調整する第１のインピーダンス整合回路と、
前記第１の出力端子の出力インピーダンスを調整する第２のインピーダンス整合回路と、
前記第１及び第２の出力端子間のインピーダンスを調整する第３のインピーダンス整合回路と、
前記第２の出力端子から出力された通信信号の振幅値をもとに、前記伝送線路への通信信号の送出状態を監視する監視回路とを具備したことを特徴とする通信装置。
【発明の詳細な説明】
【０００１】
【発明の属する技術分野】
この発明は、多重化端局装置等の通信装置において、同軸ケーブルやツイストペアケーブル等の伝送線路にパルス信号を送出するために設けられる駆動回路に係わり、特に出力断検出機能を備えた伝送路駆動回路とこの回路を備えた通信装置に関する。
【０００２】
【従来の技術】
同軸ケーブルやツイストペアケーブルを駆動するための回路は、古くから種々のものが開発され使用されている。しかし、近年の障害管理技術の高度化に伴い、パルス信号を伝送線路へ送出するという基本機能に加えて、信号の送信状態を監視して異常検出時にはアラームを発生するいわゆる自己監視機能を付加することが要求されている。
【０００３】
図４は、この自己監視機能を有する同軸ケーブル駆動回路１の構成の一例を示すもので、符号変換部１１と、増幅部１２と、送信断検出部１３とを備えている。符号変換部１１では、例えばＮＲＺ信号が伝送に適した符号に変換される。伝送に適した符号とは、受信側での信号識別を容易にするためにマーク率が一定で直流的なアンバランスが生じない符号であり、例えばＣＭＩ（Code Mark Inversion）符号やマンチェスタ符号が用いられる。増幅部１２では、上記符号変換部１１から出力されたパルス信号が規定の振幅に増幅される。増幅部１２の出力段は例えばエミッタホロワになっており、その出力パルス信号はコンデンサＣc 及びインピーダンス整合用抵抗ＲM を介して同軸ケーブル２へ送出される。送信断検出部１３は、上記増幅部１２から同軸ケーブル２へ送出されるパルス信号の振幅値を監視し、振幅値が所定値より小さくなった場合に送信断検出アラームを出力する。
【０００４】
図５は、上記送信断検出部１３の回路構成の一例を示すもので、ダイオードＤ51を用いたピーク検出回路２１及び比較器２２によって送信断を検出する。すなわち、監視対象となる送信パルス信号は、抵抗Ｒ51及び結合コンデンサＣ51介してダイオードＤ51に印加される。ダイオードＤ51はアノード側がカソード側よりも電位が高いときに導通し、逆にアノード側がカソード側より電位が低い場合に非導通となる。したがってダイオードＤ51は、印加された送信パルス信号が“Ｈ”レベルの期間に導通してコンデンサＣ52を充電する。そして、送信パルス信号が“Ｌ”レベルになると非導通状態となり、これによりコンデンサＣ52に蓄積された電荷は抵抗Ｒ54を介して放電される。このとき抵抗Ｒ54の値はダイオードＤ51の導通抵抗より十分大きく設定しておく。つまり、放電時定数を充電時定数より十分大きく設定しておく。このように設定すると、送信パルスの“Ｈ”レベルが繰り返し入力されることにより、コンデンサＣ52には送信パルス信号のピーク値に相当する電圧が保持されることになる。
【０００５】
これに対し増幅部１２が故障して送信パルス信号が出力されなくなると、コンデンサＣ52に蓄積されていた電荷が抵抗Ｒ54を通じて放電されるため、ダイオードＤ51のカソードの電位は時間経過に従って低下する。そして、このカソードの電位が、抵抗Ｒ52とＲ53により決まるアノードのバイアス電位より低くなると、ダイオードＤ51は導通してコンデンサＣ52を充電する。このためコンデンサＣ52にはダイオードＤ51のアノードバイアス電位に相当する電圧が保持されることになる。
【０００６】
このコンデンサＣ52の電圧値は比較器２２に入力され、ここで抵抗Ｒ55とＲ56により設定した参照電圧と比較される。ここで、参照電圧は送信パルス信号のピーク検出電圧とアノードバイアス電圧との中間値に設定される。このため、比較器２２の出力レベルは、送信パルス信号が正常に送出されているときには“Ｌ”レベルとなるが、送信パルス信号の出力が断たれると“Ｈ”レベルとなり、これが送信断アラームとなって出力される。
【０００７】
なお、抵抗Ｒ51はバッファ抵抗であり、このバッファ抵抗によって同軸ケーブル２に並列に接続されている送信断検出部１３により送信パルス信号波形が劣化するのを防止している。
【０００８】
【発明が解決しようとする課題】
このような構成であれば、送信パルス信号の自己監視が可能となる。しかしながら、このような同軸ケーブル駆動回路では、例えば同軸ケーブルが断線したり、また受信側装置において芯線と接地線との短絡や機器の調整の都合で受信端が開放された場合に、送信パルス信号の反射が生じ、その反射波のために送信断検出部１３が誤動作を起こす恐れがあった。
【０００９】
例えば同軸ケーブルの断線により反射波が発生すると、この反射波の位相により送信断検出部１３の入力波形が変化する。図６はその様子を示したもので、図６（ａ）は送信パルス信号（進行波）の波形、図６（ｂ），（ｃ），（ｄ）は反射波の波形、図６（ｅ），（ｆ），（ｇ）はそれぞれ上記各反射波（ｂ），（ｃ），（ｄ）と進行波（ａ）との合成波形を示している。
【００１０】
すなわち、反射波が送信装置側へ戻るときの位相は断線が発生した位置によって変化する。いま仮に送信パルス信号の周期を２πとすると、図６（ｂ）は（２πの整数倍＋π／４）の位相で送信装置側に戻った場合を示している。この場合には、反射波（ｂ）と送信パルス信号波（ａ）とが合成されて、図６（ｅ）のような合成波が送信断検出部１３に入力される。この合成波（ｅ）は３値状の波形となる。このため、図５に示した回路では結合コンデンサＣ51により直流分がカットされ、平均レベルより正側に立ち上がったパルスのピーク値Ｖp が検出される。
【００１１】
図６（ｃ）は、同図（ｂ）の波形より遅れた位相で反射波が発生した場合を示しており、このときの合成波形は図６（ｆ）のようになる。この場合には、正側パルス並びに負側パルスともパルス幅が（ｅ）より狭くなる。図６（ｄ）は、同図（ｃ）よりさらに位相が遅れて送信パルス信号（ａ）に対し位相がほぼπ／２ずれた反射波が発生した場合を示しており、このときの合成波形は図６（ｇ）のようにパルス幅が非常に狭くひげ状の波形となる。
【００１２】
送信断検出部１３のピーク検出回路は、入力パルス信号のパルス幅が狭くなればなるほどピーク検出動作が不完全となる。例えば図６（ｇ）に示すようなひげ状のパルスに対してはピーク検出動作がまったく行えなくなってしまう。この場合には、同軸ケーブルへたとえ正常な送信パルス信号が送出されていても、送信断検出部１３では送信断として誤検出され、この結果アラームが発生してしまう。
なお、同軸ケーブルが短絡した場合にも、反射波の極性が反転するだけで同様な誤検出が起きる。
【００１３】
以上述べたような反射波による誤検出の発生を防止するための対策としては、例えば同軸ケーブル２の入力端（図４のＡ点）にアッテネータを挿入することが考えられる。このようにすると、送信断検出部１３に入力される送信パルス信号はアッテネータにより減衰を受けず、反射波だけが減衰を受ける。このため、アッテネータの減衰量を大きく設定して反射波の振幅を極力低下させれば、送信断検出部１３の誤検出を防止することが可能となる。
【００１４】
しかしながらアッテネータの減衰量を大きくすると、同軸ケーブル２へ送出される送信パルス信号の振幅値が低下してしまい、規格により予め定められた送信パルス信号の規定振幅値を満たさなくなる。この規定振幅値を満たすには増幅部１２の増幅率を高める必要がある。しかし、このようにすると装置の消費電力の増大を招く。
【００１５】
この発明は上記事情に着目してなされたもので、その目的とするところは、伝送線路の断線や短絡によって発生する反射波の影響を受けることなく、信号の送出状態を正確に監視できるようにした伝送線路駆動回路とこの回路を備えた通信装置を提供することにある。
【００１６】
【課題を解決するための手段】
上記目的を達成するためにこの発明は、規定振幅のパルス信号を伝送線路へ送出すると共に、この伝送線路に対する上記パルス信号の送出状態を監視する機能を備えた伝送線路駆動回路において、送出対象のパルス信号を所定の振幅に増幅して出力する増幅部と伝送線路との間に、ハイブリッド回路を設けている。このハイブリッド回路は、上記増幅部から出力されたパルス信号が入力される入力端子と、相互間にアイソレーション特性を有する第１及び第２の出力端子とを備えており、上記入力端子に入力されたパルス信号を二分岐したのち、その一方を上記第１の出力端子から出力して上記伝送線路へ送出し、他方を第２の出力端子から出力して送信状態監視回路へ入力している。
【００１７】
従ってこの発明によれば、ハイブリッド回路を用いたことにより、増幅部から出力された送信パルス信号は二分岐されて伝送線路及び送信状態監視回路へそれぞれ出力されるが、伝送線路からの反射波はハイブリッド回路の第１及び第２の出力端子間のアイソレーション特性により送信状態監視回路へは入力されない。このため送信状態監視回路では、伝送線路の開放又は短絡等による線路インピーダンスの変化の影響を受けることなく、常に安定した送信状態監視動作を行うことが可能となる。
【００１８】
またこの発明は、ハイブリッド回路の入力インピーダンスを調整する第１のインピーダンス整合回路と、ハイブリッド回路の出力インピーダンスを調整する第２のインピーダンス整合回路と、ハイブリッド回路の第１及び第２の出力端子間のインピーダンスを調整する第３のインピーダンス整合回路とをさらに具備したことを特徴としている。
【００１９】
具体的には、伝送線路の特性インピーダンスがＺoであるとき、第１のインピーダンス整合回路は、増幅部の出力端子とハイブリッド回路の入力端子との間をＺo／２なるインピーダンスで接続し、かつ第３のインピーダンス整合回路は、ハイブリッド回路の第１の出力端子と第２の出力端子との間を２Ｚoなるインピーダンスで接続したものとする。
【００２０】
また、ハイブリッド回路が第１及び第２の出力端子を出力とするトランスを備え、上記第１の出力端子と上記第２の出力端子との中点にタップされる共通出力端子を有する場合には、第３のインピーダンス整合回路は、ハイブリッド回路の共通出力端子と接地端子との間をＺo／２なるインピーダンスで接続したものとする。
【００２１】
さらに、伝送線路の特性インピーダンスがＺoであり、かつ増幅部が差動増幅回路により構成され、ハイブリッド回路が上記第１及び第２の出力端子を出力とし、さらに第１及び第２の入力端子を有するトランスを備える。そして、このトランスが、上記第１の入力端子と上記第２の入力端子との中点にタップされる共通入力端子と、上記第１の出力端子と上記第２の出力端子との中点にタップされる共通出力端子とを有する場合には、第１のインピーダンス整合回路は増幅部の差動出力端子とハイブリッド回路の共通入力端子との間をそれぞれＺoなるインピーダンスで接続したものとする。
【００２２】
このように構成することで、ハイブリッド回路の入力側及び出力側のインピーダンス整合をそれぞれとることができ、送信パルス信号の送信及び監視動作を確実に行うことができる。
【００２３】
さらに、上記第１及び第２のインピーダンス整合回路にリアクタンス素子を含むマッチングネットワーク回路をそれぞれ設けることにより、伝送線路からのリターン特性を調整して、より一層安定な送信動作及び送信監視動作を実現することができる。
【００２４】
【発明の実施の形態】
（第１の実施形態）
図１は、この発明に係わる同軸ケーブル駆動回路の要部構成を示す回路図である。なお、同図において前記図４と同一部分には同一符号を付してある。
【００２５】
この実施形態の同軸ケーブル駆動回路１０Ａは、増幅部１２Ａと、送信断検出部１３と、ハイブリッド回路１４Ａと、上記増幅部１２Ａとハイブリッド回路１４Ａとの間に設けられた第１のインピーダンス整合回路１５Ａと、上記ハイブリッド回路１４Ａと同軸ケーブル２との間に設けられた第２のインピーダンス整合回路１６Ａと、ハイブリッド回路１４Ａの出力端間に設けられた第３のインピーダンス整合回路１７Ａとを備えている。なお、Ｃcは結合コンデンサ、Ｒ13はハイブリッド回路１４Ａから出力された送信パルス信号を送信断検出部１３に入力するための終端抵抗である。
【００２６】
このうち先ずハイブリッド回路１４Ａは、１個の入力ポートＰ11と２個の出力ポートＰ12，Ｐ13を有する２巻線型のハイブリッドトランスからなる。そして、増幅部１２Ａから出力されて入力ポートＰ11に入力された送信パルス信号を二分岐して、その一方を出力ポートＰ12から同軸ケーブル２へ出力すると共に、他方を出力ポートＰ13から送信断検出部１３に入力する。上記ハイブリッドトランスは、磁性体のトロイダルコアにエナメル先等をバイファイラに巻くことで作製できる。
【００２７】
第１のインピーダンス整合回路１５Ａは、抵抗Ｒ11及びインダクタＬ11を信号路に対し直列に接続すると共にコンデンサＣ11を信号路に並列に接続したＬＲＣ回路により構成され、ハイブリッド回路１４Ａの入力インピーダンスの整合機能と、同軸ケーブル２からのリターン特性の調整機能とを有する。上記ＬＲＣ回路のインピーダンスＺ11は、同軸ケーブル２のインピーダンスをＺoとすると、Ｚ11＝Ｚo／２に設定される。
【００２８】
第２のインピーダンス整合回路１６Ａは、ハイブリッド回路１４Ａの各出力端子Ｐ12，Ｐ13間に接続されたインピーダンス整合用抵抗Ｒ14と、出力ポートＰ12と同軸ケーブル２との間に接続されるインダクタＬ12及びコンデンサＣ12からなるリアクタンス回路とを備えたもので、ハイブリッド回路１４Ａと同軸ケーブル２との間のインピーダンスダンス整合をとる機能と、同軸ケーブル２からのリターン特性を調整する機能とを有する。
【００２９】
第３のインピーダンス整合回路１７Ａは、ハイブリッド回路１４Ａの各出力ポートＰ12，Ｐ13間に接続されたインピーダンス整合用抵抗Ｒ14からなる。上記インピーダンス整合用抵抗Ｒ14のインピーダンス（抵抗値）は、同軸ケーブル２のインピーダンスをＺoとすると、Ｚ14＝Ｒ14＝２Ｚoに設定される。なお、終端抵抗Ｒ13の抵抗値は、Ｒ13＝Ｚoに設定される。
【００３０】
このような構成であるから、増幅部１２Ａから出力された送信パルス信号は、結合コンデンサＣc及び第１のインピーダンス整合回路１５Ａを介してハイブリッド回路１４Ａに入力される。そして、送信パルス信号は、このハイブリッド回路１４Ａにおいて均等に二分岐され、それぞれ１／２の振幅値となって出力ポートＰ12及び出力ポートＰ13から出力される。このうち出力ポートＰ12から出力された送信パルス信号は、第２のインピーダンス整合回路１６Ａを介して同軸ケーブル２へ送信される。一方、出力ポートＰ13から出力された送信パルス信号は終端抵抗Ｒ13及び送信断検出部１３にそれぞれ入力され、この送信断検出部１３において送信パルス信号の振幅レベルの監視が行われる。
【００３１】
ところで、ハイブリッド回路１４Ａでは、出力ポートＰ12に信号が入力されるとこの信号は出力ポートＰ13へ分配されるが、コイルに誘起する信号とインピーダンス整合用抵抗Ｒ14を介して入力される信号とが互いに打ち消し合い、理想状態では出力ポートＰ12に入力された信号は出力ポートＰ13には現れない。また、出力ポートＰ13に入力された信号も出力ポートＰ12には現れない。すなわち、出力ポートＰ12，Ｐ13間の結合損失は非常に大きくとれる。例えば、上記したハイブリッドトランスを使用した場合には、出力ポートＰ12，Ｐ13間において数ＫHz〜数百ＭHzの広い周波数帯域で２０dB以上の結合損失を得ることができる。
【００３２】
したがって、同軸ケーブル２の断線や短絡によって反射が発生し、その反射波が出力ポートＰ12に入力されても、この反射波は理想的には出力ポートP13に現れないことになり、仮に現れたとしても１／１０以下に減衰させることが可能となる。このため、送信断検出部１３における送信パルス信号の振幅レベル監視動作に、上記反射波が悪影響を及ぼす心配は少ない。
【００３３】
また、同軸ケーブル２の断線や短絡によって出力ポートＰ12の負荷インピーダンスが変化すると、ハイブリッドトランスのインピーダンス変換比が自動的に変化し、出力ポートＰ12から出力ポートＰ13へ分配される信号電力は一定に保たれる。すなわち、出力ポートＰ11が開放された場合には見かけ上、（Ｚ11‖Z14）＝Ｚoとなって、入力ポートＰ11から出力ポートＰ13に分配される信号振幅は一定に保たれる。従って、送信断検出部１３における比較参照電圧は、同軸ケーブル２の状態に関係なく一定値に固定しておくことができる。
【００３４】
また、第１及び第２のインピーダンス整合回路１５Ａ，１６Ａには、リターン特性調整用のリアクタンス回路が設けられている。したがって、ハイブリッド回路１４Ａのインピーダンス特性にばらつき等があっても、これに応じて同軸ケーブル２に対するリターン特性を常に最適値に設定することができる。
【００３５】
（第２の実施形態）
図２は、この発明に係わる同軸ケーブル駆動回路の第２の実施形態を示す回路構成図である。なお、同図において前記図１と同一部分には同一符号を付して詳しい説明は省略する。
【００３６】
この実施形態の同軸ケーブル駆動回路１０Ｂは、ハイブリッド回路１４Ｂとして３巻線５ポート型のハイブリッドトランスを使用している。すなわち、ハイブリッド回路１４Ｂは、図示する如く二つの入力ポートＰ21，Ｐ22と、二つの出力ポートＰ23，Ｐ25と、これらの出力ポートＰ23，Ｐ25の中点に設けられた一つの共通出力ポートＰ24とを有している。
【００３７】
増幅部１２Ａから出力された送信パルス信号は、第１のインピーダンス整合回路１５Ａを介して上記入力ポートＰ21に入力される。入力ポートＰ22は接地されている。出力ポートＰ23は第２のインピーダンス整合回路１６Ｂを介して同軸ケーブル２に接続される。第２のインピーダンス整合回路１６Ｂは、インダクタＬ21及びコンデンサＣ21からなるリアクタンス回路を備えている。上記ハイブリッド回路１４Ｂの共通出力ポートＰ24には、インピーダンス整合用抵抗Ｒ24からなる第３のインピーダンス整合回路１７Ｂが接続される。出力ポートＰ25は送信断検出部１３に接続される。なお、Ｒ25は出力ポートＰ25から出力された送信パルス信号を送信断検出部１３に入力するための終端抵抗である。
【００３８】
また上記第１のインピーダンス整合回路１５ＡのインピーダンスＺ11は、同軸ケーブル２のインピーダンスをＺoとすると、Ｚ11＝Ｚo／２に設定され、また第３のインピーダンス整合回路１７Ｂのインピーダンス整合用抵抗Ｒ24もＲ24＝Ｚo／２に設定される。なお、終端抵抗Ｒ25の値はＺo２に設定される。
【００３９】
このような構成において、ハイブリッド回路１４Ｂの入力ポートＰ21に入力された送信パルス信号は、二分岐されて出力ポートＰ23，Ｐ25から均等に出力される。ただし、出力ポートＰ23，Ｐ25に２分配された送信パルス信号は互いに極性が反転した差動信号となる。同軸ケーブル２へは、このうちの正相側の送信パルス信号が送信される。一方送信断検出部１３には、逆相側の送信パルス信号が入力される。この逆相側の信号は、同軸ケーブル２へ送出される信号に対し、極性が反転しているだけで振幅の絶対値は同一なので、送信断検出部１３では上記入力された送信パルス信号により送信断監視が可能である。
【００４０】
ところで、この実施形態の回路においても、ハイブリッド回路１４Ｂとしてハイブリッドトランスを使用しているため、出力ポートＰ23，Ｐ25間の結合損失は大きい。このため、同軸ケーブル２の断線や短絡等により出力ポートＰ23に反射波が入力されても、この信号は理想的には出力ポートＰ25から出力されず、仮に出力されても送信パルス信号の振幅レベルに比べてきわめて小さいものになる。したがって、送信断検出部１３における検出動作に支障は生じない。
【００４１】
また、第１の実施形態と同様に、第１及び第２のインピーダンス整合回路１５Ａ，１６Ｂには、リターン特性調整用のリアクタンス回路が設けられている。したがって、ハイブリッド回路１４Ｂのインピーダンス特性のばらつき等に応じ、同軸ケーブル２に対するリターン特性を常に最適値に設定することができる。
【００４２】
またこの実施形態の回路では、ハイブリッド回路１４Ｂとして使用しているハイブリッドトランスの巻線が、一次側と二次側とで独立している。このため、増幅部１２Ａの基準電位（接地電位）と、同軸ケーブル２の接地電位とを必要に応じて分離することができる。
【００４３】
さらに、このハイブリッドトランスの一次側及び二次側は磁性体により発生する磁界を通じて結合しているため、例えば静電気や落雷等によって同軸ケーブル２にサージパルスが印加されるような場合には、サージパルスによる電流によって磁性体の磁気飽和を生じるため一次側と二次側との結合が弱まり、増幅部１２に過大なサージパルスが印加されて破壊されるのを防止できる。
【００４４】
（第３の実施形態）
図３は、この発明に係わる同軸ケーブル駆動回路の第３の実施形態を示す回路図である。なお、同図において前記図２と同一部分には同一符号を付して詳しい説明は省略する。
【００４５】
この実施形態の同軸ケーブル駆動回路１０Ｃは、増幅部１２Ｂの出力回路として図示したように差動増幅器を用いている。一方ハイブリッド回路１４Ｃとしては、４巻線６ポート型のハイブリッドトランスが使用される。このハイブリッドトランスは、２個の入力ポートＰ31，Ｐ33と、１個の共通入力ポートＰ32と、２個の出力ポートＰ34，Ｐ36と、１個の共通出力ポートＰ35とを有し、このうち共通入力ポートＰ32は増幅部１２Ｂの正電源端子＋Ｖに接続されている。
【００４６】
第１のインピーダンス整合回路１５Ｂは、ハイブリッド回路１４Ｃの入力ポートＰ31と共通入力ポートＰ32との間、及び入力ポートＰ33と共通入力ポートＰ32との間にそれぞれ接続されたインピーダンス整合用抵抗Ｒ31，Ｒ33と、各々インダクタＬ31，コンデンサＣ31及びインダクタＬ32，コンデンサＣ32からなる２個のリアクタンス回路とを備えている。
【００４７】
これらのリアクタンス回路はそれぞれ、増幅部１２Ｂの一方の差動出力端とハイブリッド回路１４Ｃの入力ポートＰ31との間、及び増幅部１２Ｂの他方の差動出力端とハイブリッド回路１４Ｃの入力ポートＰ33との間に接続される。リアクタンス回路は、同軸ケーブル２に対するリターン特性を調整する機能と、増幅部１２Ｂの差動増幅器においてスイッチング時に発生するリンギングを減少させて出力信号振幅を規定値に調整する。カットするいわゆるパルスマスクフィッティング機能とを併せ持つ。
なお、上記各インピーダンス整合用抵抗Ｒ31，Ｒ33の抵抗値は、同軸ケーブル２のインピーダンスをＺoとすると、Ｒ31＝Ｚo、Ｒ33＝Ｚoにそれぞれ設定される。
【００４８】
第２のインピーダンス整合回路１６Ｂは、インダクタＬ33及びコンデンサＣ33からなるリアクタンス回路とを備え、このリアクタンス回路はハイブリッド回路１４Ｃの出力ポートＰ34と同軸ケーブル２との間に接続される。リアクタンス回路は、同軸ケーブル２に対するリターン特性を調整する機能を有する。第３のインピーダンス整合回路１７Ｂは、ハイブリッド回路１４Ｃの共通出力ポートＰ35と接地端子との間に接続されたインピーダンス整合用抵抗Ｒ35からなる。
【００４９】
なお、上記インピーダンス整合用抵抗Ｒ35、及び出力ポートＰ36の終端抵抗Ｒ36の抵抗値は、同軸ケーブル２のインピーダンスをＺoとすると、Ｒ35＝Ｚo／２、Ｒ36＝Ｚoにそれぞれ設定される。
【００５０】
また上記第２のインピーダンス整合回路１６Ｂと同軸ケーブル２との間には、アッテネータ（ＡＴＴ）１８が設けてある。このアッテネータ１８は、同軸ケーブル２に対するリターンロスを所定値以下に抑えるための回路である。
【００５１】
このような構成であるから、増幅部１２Ｂの差動増幅器から差動信号として出力された送信パルス信号は、第１のインピーダンス整合回路１５Ｂを介してハイブリッド回路１４Ｃの入力ポートＰ31，Ｐ33に入力される。そしてこの送信パルス信号は、ハイブリッド回路１４Ｃにおいて均等に二分配され、その一方が出力ポートＰ34から出力されて第２のインピーダンス整合回路１６Ｂ及びアッテネータ１８をそれぞれ介して同軸ケーブル２へ送信される。これに対し他方の信号は、出力ポートＰ36から出力されて送信断検出部１３に入力される。
【００５２】
したがって、増幅部１２Ｂが差動信号からなる送信パルス信号を出力する場合でも、ハイブリッド回路１４Ｃとして４巻線６ポート型のハイブリッドトランスを使用することで、上記差動信号からなる送信パルス信号を二分配して同軸ケーブル２及び送信断検出部１３にそれぞれ出力することができる。
【００５３】
また、ハイブリッド回路１４Ｃとして４巻線６ポート型のハイブリッドトランスを使用しているため、出力ポートＰ34，Ｐ36間の結合損失は大きい。このため、同軸ケーブル２の断線や短絡等により出力ポートＰ34に反射波が入力されても、この信号は理想的には出力ポートＰ36から出力されず、仮に出力されても送信パルス信号の振幅レベルに比べてきわめて小さいものになる。したがって、送信断検出部１３における検出動作に支障は生じない。
【００５４】
また、第２の実施形態と同様に、第１及び第２のインピーダンス整合回路１５Ｂ，１６Ｂには、リターン特性調整用のリアクタンス回路が設けられている。したがって、ハイブリッド回路１４Ｃのインピーダンス特性のばらつき等に応じ、同軸ケーブル２に対するリターン特性を常に最適値に設定することができる。さらに第１のインピーダンス整合回路１５Ｂのリアクタンス回路により、増幅部１２Ｂの差動増幅器においてスイッチング時にリンギングが発生しても、このリンギングの振幅を減少させることができる。
【００５５】
（その他の実施形態）
前記第１乃至第３の各実施形態では、ハイブリッド回路として、出力ポート間に広帯域に亘り十分な結合損失が得られるトロイダルコアを使ったハイブリッドトランスを使用した場合について述べた。しかし、ハイブリッド回路としてはトランス以外に、マイクロストリップラインや導波管を用いた方向性結合器を使用してもよい。但し、この種のハイブリッド回路は一般に狭帯域であるため、送信パルス信号のスペクトラムが狭いクロック伝送用の駆動回路に適している。
【００５６】
その他、ハイブリッド回路の構成や、第１、第２及び第３のインピーダンス整合回路の回路構成、増幅部及び送信断検出部の回路構成、伝送線路の種類等についても、この発明の要旨を逸脱しない範囲で種々変形して実施可能である。
【００５７】
【発明の効果】
以上詳述したようにこの発明では、送出対象のパルス信号を所定の振幅に増幅して出力する増幅部と伝送線路との間に、増幅部から出力されたパルス信号が入力される入力端子と、相互間にアイソレーション特性を有する第１及び第２の出力端子とを備えたハイブリッド回路を設け、このハイブリッド回路において、上記入力端子に入力されたパルス信号を二分岐したのち、その一方を上記第１の出力端子から出力して上記伝送線路へ送出し、他方を第２の出力端子から出力して送信状態監視回路へ入力するようにしている。
【００５８】
したがってこの発明によれば、伝送線路の断線や短絡によって発生する反射波の影響を受けることなく、信号の送出状態を正確に監視することができる伝送線路駆動回路とこの回路を備えた通信装置を提供することができる。
【図面の簡単な説明】
【図１】  この発明に係わる同軸ケーブル駆動回路の第１の実施形態を示す回路構成図。
【図２】  この発明に係わる同軸ケーブル駆動回路の第２の実施形態を示す回路構成図。
【図３】  この発明に係わる同軸ケーブル駆動回路の第３の実施形態を示す回路構成図。
【図４】  従来の同軸ケーブル駆動回路の構成を示す回路ブロック図。
【図５】  図４に示した同軸ケーブル駆動回路に設けられる送信断検出部の構成の一例を示す回路図。
【図６】  図４に示した同軸ケーブル駆動回路における進行波、反射波及びその合成波の一例を示す信号波形図。
【符号の説明】
２…同軸ケーブル
１０Ａ，１０Ｂ，１０Ｃ…同軸ケーブル駆動回路
１１…符号変換部
１２Ａ，１２Ｂ…増幅部
１３…送信断検出部
１４Ａ，１４Ｂ，１４Ｃ…ハイブリッド回路
１５Ａ，１５Ｂ…第１のインピーダンス整合回路
１６Ａ，１６Ｂ…第２のインピーダンス整合回路
１７Ａ，１７Ｂ…第３のインピーダンス整合回路
１８…アッテネータ
【図１】
0003668037.tif 000002
【図２】
0003668037.tif 000003
【図３】
0003668037.tif 000004
【図４】
0003668037.tif 000005
【図５】
0003668037.tif 000006
【図６】
0003668037.tif 000007